【手続補正書】
【提出日】平成28年1月18日(2016.1.18)
【手続補正１】
【補正対象書類名】明細書
【補正対象項目名】０１１２
【補正方法】変更
【補正の内容】
【０１１２】
本明細書に引用されるすべての参考文献及び刊行物は、それらが本開示と直接矛盾しうる場合を除き、それらの全容を参照によって本開示に明確に援用するものである。以上、本明細書において具体的な実施形態を図示、説明したが、様々な代替的かつ／又は等価的な実現形態を、図示及び説明された具体的な実施形態に本開示の範囲を逸脱することなく置き換えることができる点は当業者であれば認識されるところであろう。本出願は、本明細書において検討される具体的な実施形態のあらゆる適合例及び変形例を網羅しようとするものである。したがって、本開示は、特許請求の範囲及びその均等物によってのみ限定されるものとする。
本発明の実施態様の一部を以下の〔態様１〕−〔態様４２〕に記載する。
〔態様１〕
頂点、放物面の焦点、及びそれらの間の第１の軸を有する放物面リフレクタと、
前記放物面の焦点と一致する第１の焦点、第２の焦点、及び前記第１及び第２の焦点を含む第２の軸を有する双曲面リフレクタと、を備える太陽光コレクタであって、
前記第２の軸を動かすことなく前記第１の軸を所定の高度角及び所定の方位角と整列させることができることにより、前記放物面リフレクタに入射して前記双曲面リフレクタから反射される太陽放射光が前記第２の軸の出力コリメーション角内を伝播することを特徴とする太陽光コレクタ。
〔態様２〕
前記双曲面リフレクタが前記放物面リフレクタに取り付けられることにより、前記第１の軸が前記方位角と整列される際に前記双曲面リフレクタと前記第１の軸とが前記第２の軸を中心として一緒に回転する、態様１に記載の太陽光コレクタ。
〔態様３〕
前記第１の軸が前記方位角と整列される際に前記双曲面リフレクタが静止状態に維持される、態様１に記載の太陽光コレクタ。
〔態様４〕
前記放物面リフレクタの前記頂点を通る線に沿って前記放物面リフレクタ内に配置された出口開口部を更に含む、態様１に記載の太陽光コレクタ。
〔態様５〕
前記出口開口部が、前記放物面リフレクタの縁にまで延びるスロットを含む、態様４に記載の太陽光コレクタ。
〔態様６〕
前記出口開口部が太陽放射光に対して透明な材料を含む、態様４に記載の太陽光コレクタ。
〔態様７〕
前記第２の軸に沿って配置され、前記第２の軸の出力コリメーション角内を伝播する太陽放射光を受光することが可能な光ダクトを更に備える、態様１に記載の太陽光コレクタ。
〔態様８〕
前記光ダクトが、入力開口部を有する中空の反射型光ダクトである、態様７に記載の太陽光コレクタ。
〔態様９〕
前記光ダクトが、前記第２の焦点に近接して配置された入力開口部を有する、態様７に記載の太陽光コレクタ。
〔態様１０〕
頂点、放物面の焦点、及びそれらの間の第１の軸を有する放物面リフレクタと、
前記放物面の焦点と一致する第１の焦点、第２の焦点、並びに前記第１及び第２の焦点を含む第２の軸を有する双曲面リフレクタと、
前記放物面リフレクタ内でかつ前記第１及び第２の軸によって規定される平面上に配置される出口開口部と、
前記第２の軸に沿って配置される光ダクトと、を備える太陽光コレクタであって、
前記双曲面リフレクタ又は前記光ダクトを動かすことなく前記第１の軸を所定の高度角及び所定の方位角と整列させることができることを特徴とする太陽光コレクタ。
〔態様１１〕
前記出口開口部が、前記放物面リフレクタの縁にまで延びるスロットを含む、態様１０に記載の太陽光コレクタ。
〔態様１２〕
前記出口開口部が太陽放射光に対して透明な材料を含む、態様１０に記載の太陽光コレクタ。
〔態様１３〕
前記第２の焦点が前記光ダクトの入力開口部に近接している、態様１０に記載の太陽光コレクタ。
〔態様１４〕
前記第２の焦点が前記光ダクトの内部にある、態様１０に記載の太陽光コレクタ。
〔態様１５〕
前記光ダクトが前記出口開口部を貫通している、態様１０に記載の太陽光コレクタ。
〔態様１６〕
前記双曲面リフレクタが前記光ダクトに取り付けられている、態様１０に記載の太陽光コレクタ。
〔態様１７〕
前記第１の軸が太陽の方向と整列されている、態様１０に記載の太陽光コレクタ。
〔態様１８〕
前記光ダクトが反射型中空光ダクトを含む、態様１０に記載の太陽光コレクタ。
〔態様１９〕
前記第１の軸の第１のコリメーション半角内の入力光線が、前記放物面リフレクタから反射し、前記双曲面リフレクタから反射し、前記光ダクト内へと前記第２の軸の第２のコリメーション半角内に向けられる、態様１０に記載の太陽光コレクタ。
〔態様２０〕
約０．２５°の第１のコリメーション半角に対して、前記第２のコリメーション半角が最大で約３０°の角度を含む、態様１９に記載の太陽光コレクタ。
〔態様２１〕
頂点、放物面の焦点、及びそれらの間の第１の軸を有する放物面リフレクタと、
前記放物面の焦点と一致する第１の焦点、第２の焦点、及び前記第１及び第２の焦点を含む第２の軸を有する双曲面リフレクタと、
前記放物面リフレクタ内でかつ前記第１及び第２の軸によって規定される平面上に配置される出口開口部と、
前記第２の軸に沿って配置される光ダクトと、を備える太陽光コレクタであって、
前記第１の軸を所定の高度角及び所定の方位角と整列させることができ、前記双曲面リフレクタ及び前記光ダクトの少なくとも一方が前記第２の軸を中心として回転することを特徴とする太陽光コレクタ。
〔態様２２〕
前記出口開口部が、前記放物面リフレクタの縁にまで延びるスロットを含む、態様２１に記載の太陽光コレクタ。
〔態様２３〕
前記出口開口部が太陽放射光に対して透明な材料を含む、態様２１に記載の太陽光コレクタ。
〔態様２４〕
前記第２の焦点が前記光ダクトの入力開口部に近接している、態様２１に記載の太陽光コレクタ。
〔態様２５〕
前記第２の焦点が前記光ダクトの内部にある、態様２１に記載の太陽光コレクタ。
〔態様２６〕
前記光ダクトが前記出口開口部を貫通している、態様２１に記載の太陽光コレクタ。
〔態様２７〕
前記双曲面リフレクタが前記光ダクトに取り付けられている、態様２１に記載の太陽光コレクタ。
〔態様２８〕
前記双曲面リフレクタが前記放物面リフレクタに取り付けられることにより、前記第１の軸が前記方位角と整列される際に前記双曲面リフレクタと前記第１の軸とが前記第２の軸を中心として一緒に回転する、態様２１に記載の太陽光コレクタ。
〔態様２９〕
前記光ダクトが前記放物面リフレクタに取り付けられることにより、前記第１の軸が前記方位角と整列される際に前記光ダクトと前記第１の軸とが前記第２の軸を中心として一緒に回転する、態様２１に記載の太陽光コレクタ。
〔態様３０〕
前記第１の軸が太陽の方向と整列されている、態様２１に記載の太陽光コレクタ。
〔態様３１〕
前記光ダクトが反射型中空光ダクトを含む、態様２１に記載の太陽光コレクタ。
〔態様３２〕
前記第１の軸の第１のコリメーション半角内の入力光線が、前記放物面リフレクタから反射し、前記双曲面リフレクタから反射し、前記光ダクト内へと前記第２の軸の第２のコリメーション半角内に向けられる、態様２１に記載の太陽光コレクタ。
〔態様３３〕
約０．２５°の第１のコリメーション半角に対して、前記第２のコリメーション半角が最大で約３０°の角度を含む、態様３２に記載の太陽光コレクタ。
〔態様３４〕
頂点、放物面の焦点、及びそれらの間の第１の軸を有する放物面リフレクタと、
前記放物面の焦点と一致する第１の焦点、第２の焦点、及び前記第１及び第２の焦点を含む第２の軸を有する双曲面リフレクタと、
前記放物面リフレクタ内でかつ前記第１及び第２の軸によって規定される平面上に配置されるスロットと、
前記第２の軸に沿って配置され、前記スロットを貫通する中空の反射型光ダクトと、を備える太陽光コレクタであって、
前記第１の軸が前記第２の軸を動かすことなく所定の高度角及び所定の方位角で太陽と整列されるように前記放物面リフレクタを回転させることができることにより、前記放物面リフレクタに入射して前記双曲面リフレクタから反射される太陽放射光が、前記中空の反射型光ダクトに進入して前記第２の軸の出力コリメーション角内を伝播することを特徴とする太陽光コレクタ。
〔態様３５〕
態様１、態様１１、態様２１、又は態様３４に記載の太陽光コレクタを含む建築照明システム。
〔態様３６〕
光分配ダクトを更に含む、態様３５に記載の建築照明システム。
〔態様３７〕
前記光分配ダクト内に光を注入することが可能な電気的光源を更に含む、態様３６に記載の建築照明システム。
〔態様３８〕
保護ハウジングを更に含む、態様３５に記載の建築照明システム。
〔態様３９〕
前記保護ハウジングが、前記太陽光コレクタを少なくとも部分的に包囲する可視光透過ドームを含む、態様３８に記載の建築照明システム。
〔態様４０〕
前記保護ハウジングが、クラムシェル形態で前記放物面リフレクタに取り付けられた可視光透過ドームを含む、態様３８に記載の建築照明システム。
〔態様４１〕
前記可視光透過ドームが放物面を含む、態様４０に記載の建築照明システム。
〔態様４２〕
前記放物面リフレクタ及び可視光透過ドームに隣接して配置された支持リングを更に含む、態様４０に記載の建築照明システム。
【手続補正２】
【補正対象書類名】特許請求の範囲
【補正対象項目名】全文
【補正方法】変更
【補正の内容】
【特許請求の範囲】
【請求項１】
太陽光コレクタであって、
頂点、放物面の焦点、及びそれらの間の第１の軸を有する放物面リフレクタと、
前記放物面の焦点と一致する第１の焦点、第２の焦点、及び前記第１及び第２の焦点を含む第２の軸を有する双曲面リフレクタと、
を備え、
前記第２の軸を動かすことなく前記第１の軸を所定の高度角及び所定の方位角と整列させることができることにより、前記放物面リフレクタに入射して前記双曲面リフレクタから反射される太陽放射光が前記第２の軸の出力コリメーション角内を伝播する、太陽光コレクタ。
【請求項２】
太陽光コレクタであって、
頂点、放物面の焦点、及びそれらの間の第１の軸を有する放物面リフレクタと、
前記放物面の焦点と一致する第１の焦点、第２の焦点、並びに前記第１及び第２の焦点を含む第２の軸を有する双曲面リフレクタと、
前記放物面リフレクタ内でかつ前記第１及び第２の軸によって規定される平面上に配置される出口開口部と、
前記第２の軸に沿って配置される光ダクトと、
を備え、
前記双曲面リフレクタ又は前記光ダクトを動かすことなく前記第１の軸を所定の高度角及び所定の方位角と整列させることができる、太陽光コレクタ。
【請求項３】
太陽光コレクタであって、
頂点、放物面の焦点、及びそれらの間の第１の軸を有する放物面リフレクタと、
前記放物面の焦点と一致する第１の焦点、第２の焦点、及び前記第１及び第２の焦点を含む第２の軸を有する双曲面リフレクタと、
前記放物面リフレクタ内でかつ前記第１及び第２の軸によって規定される平面上に配置される出口開口部と、
前記第２の軸に沿って配置される光ダクトと、
を備え、
前記第１の軸を所定の高度角及び所定の方位角と整列させることができ、前記双曲面リフレクタ及び前記光ダクトの少なくとも一方が前記第２の軸を中心として回転する、太陽光コレクタ。
【請求項４】
太陽光コレクタであって、
頂点、放物面の焦点、及びそれらの間の第１の軸を有する放物面リフレクタと、
前記放物面の焦点と一致する第１の焦点、第２の焦点、及び前記第１及び第２の焦点を含む第２の軸を有する双曲面リフレクタと、
前記放物面リフレクタ内でかつ前記第１及び第２の軸によって規定される平面上に配置されるスロットと、
前記第２の軸に沿って配置され、前記スロットを貫通する中空の反射型光ダクトと、
を備え、
前記第１の軸が前記第２の軸を動かすことなく所定の高度角及び所定の方位角で太陽と整列されるように前記放物面リフレクタを回転させることができることにより、前記放物面リフレクタに入射して前記双曲面リフレクタから反射される太陽放射光が、前記中空の反射型光ダクトに進入して前記第２の軸の出力コリメーション角内を伝播する、太陽光コレクタ。